(57)【特許請求の範囲】
【請求項１】
レンチキュラーレンズを介して観察することによって画像表示を行う圧縮画像の作製方法であって、
記録媒体上に、第１の走査方向に沿った１つ又は複数のラインで１つの圧縮画像を形成し、ラインを第１の走査方向と直交する第２の走査方向に沿って所定のピッチで連続的に配列することによって複数の圧縮画像を形成するように構成された印刷装置を準備する工程と、
前記印刷装置によって、隣り合う圧縮画像が視覚的に互いに異なるものとなるように、複数の圧縮画像を記録媒体上に予備形成する工程と、
記録媒体上に予備的に形成された圧縮画像の上に前記レンチキュラーレンズを載せてモアレを観察する工程と、
観察されたモアレの状態に応じて、前記印刷装置における露光ユニットによる第２の走査方向の露光速度を調整し、モアレが少なくなるように前記調整を行う工程と、
調整された露光速度で、圧縮画像を記録媒体上に本形成する工程と、
を有することを特徴とするレンチキュラーレンズを用いた画像表示のための圧縮画像の作製方法。
【請求項２】
レンチキュラーレンズを介して観察することによって画像表示を行う圧縮画像の作製方法であって、
記録媒体上に、第１の走査方向に沿った１つ又は複数のラインで１つの圧縮画像を形成し、ラインを第１の走査方向と直交する第２の走査方向に沿って所定のピッチで連続的に配列することによって複数の圧縮画像を形成するように構成された印刷装置を準備する工程と、
前記印刷装置によって、隣り合う圧縮画像が互いに異なる色となるように、複数の圧縮画像を記録媒体上に予備形成する工程と、
記録媒体上に予備的に形成された圧縮画像の上に前記レンチキュラーレンズを載せてモアレを観察する工程と、
観察されたモアレの状態に応じて、前記印刷装置における露光ユニットによる第２の走査方向の露光速度を調整し、モアレが少なくなるように前記調整を行う工程と、
調整された露光速度で圧縮画像を記録媒体上に本形成する工程と、
を有することを特徴とするレンチキュラーレンズを用いた画像表示のための圧縮画像の作製方法。
【請求項３】
レンチキュラーレンズを介して観察することによって画像表示を行う圧縮画像の作製方法であって、
記録媒体上に、主走査方向に沿った１つ又は複数のラインで１つの圧縮画像を形成し、ラインを副走査方向に連続的に配列することによって複数の圧縮画像を形成するように構成された印刷装置を準備する工程と、
前記印刷装置によって、隣り合う圧縮画像が互いに異なる色となるように、複数の圧縮画像を記録媒体上に予備形成する工程と、
記録媒体上に予備的に形成された圧縮画像の上に前記レンチキュラーレンズを載せてモアレを観察する工程と、
観察されたモアレの状態に応じて前記印刷装置における記録媒体の副走査方向の送り速度を調整し、モアレが少なくなるように前記調整を行う工程と、
調整された送り速度で圧縮画像を記録媒体上に本形成する工程と、
を有することを特徴とするレンチキュラーレンズを用いた画像表示のための圧縮画像の作製方法。
【請求項４】
レンチキュラーレンズを介して観察することによって画像表示を行う圧縮画像の作製装置であって、
記録媒体上に、主走査方向に沿った１つ又は複数のラインで１つの圧縮画像を形成し、ラインを副走査方向に連続的に配列することによって複数の圧縮画像を形成するように構成された印刷装置と、
前記印刷装置によって、隣り合う圧縮画像が互いに異なる色となるように、複数の圧縮画像を記録媒体上に予備的に形成する予備形成手段と、
記録媒体上に予備的に形成された圧縮画像を前記レンチキュラーレンズを介して観察したときのモアレの状態を検出する手段と、
観察されたモアレの状態に応じて前記印刷装置における記録媒体の副走査方向の送り速度を調整する手段と、
調整された送り速度で圧縮画像を記録媒体上に本形成する手段と、
を有してなることを特徴とするレンチキュラーレンズを用いた画像表示のための圧縮画像の作製装置。
【発明の詳細な説明】
【０００１】
本発明は、レンチキュラーレンズを用いた画像表示のための圧縮画像の作製方法、及び作製装置に関する。
【０００２】
【従来の技術】
従来より、レンチキュラーレンズを用いた立体写真が普及している。これは、記録媒上に形成された複数の圧縮画像を、レンチキュラーレンズを介して観察することによって、画像を立体的に見ることができ、又は見る角度によって異なる画像を見ることができるようにしたものである。
【０００３】
圧縮画像の形成方法として、視差のある複数の原画像が形成されたフィルムを用い、レンチキュラーレンズを介して印画紙に写真焼付けによって形成する方法が伝統的に採用されていたが、近年においては、コンピュータによって圧縮画像をコンピュータ上で予め画像データとして作製しておき、その画像データに基づいて印刷装置で用紙に印刷する方法がしばしば採用されている。
【０００４】
コンピュータを用いる後者の方法においては、観察に使用するレンチキュラーレンズの寸法（ピッチ）及び圧縮画像の個数などに応じて、圧縮画像のサイズが決定される。
【０００５】
【発明が解決しようとする課題】
さて、立体写真が鮮明な画像で綺麗に見えるためには、レンチキュラーレンズのピッチに対応して、印刷装置による圧縮画像の印刷のピッチを正確に合わせておく必要がある。
【０００６】
ところが、レンチキュラーレンズは、通常、プラスチックを用いた型成形によって作製されるので、設計上のピッチと実際の製品のピッチとの間に誤差が生じる。また、温度変化又は湿度変化による伸縮によって、ピッチが僅かに変化する。
【０００７】
そのため、印刷装置によって作製された圧縮画像の上にレンチキュラーレンズを載せた際に、レンチキュラーレンズと圧縮画像とがある部分においては正確に合うが、他のある部分においてはずれが生じることとなる。
【０００８】
したがって、従来においては、印刷装置による圧縮画像の印刷のピッチとレンチキュラーレンズのピッチとが全体にわたって正確に一致せず、立体写真が綺麗に見えないという問題があった。
【０００９】
本発明は、上述の問題に鑑みてなされたもので、形成される圧縮画像のピッチをレンチキュラーレンズのピッチと全体にわたってできるだけ正確に合わせることが可能であり、立体写真などをより一層綺麗に見ることを可能とした、圧縮画像の作製方法、及び作製装置を提供することを目的とする。
【００１０】
請求項１の発明に係る方法は、レンチキュラーレンズを介して観察することによって画像表示を行う圧縮画像の作製方法であって、記録媒体上に、第１の走査方向に沿った１つ又は複数のラインで１つの圧縮画像を形成し、ラインを第１の走査方向と直交する第２の走査方向に沿って所定のピッチで連続的に配列することによって複数の圧縮画像を形成するように構成された印刷装置を準備する工程と、前記印刷装置によって、隣り合う圧縮画像が視覚的に互いに異なるものとなるように、複数の圧縮画像を記録媒体上に予備形成する工程と、記録媒体上に予備的に形成された圧縮画像の上に前記レンチキュラーレンズを載せてモアレを観察する工程と、観察されたモアレの状態に応じて、前記印刷装置における露光ユニットによる第２の走査方向の露光速度を調整し、モアレが少なくなるように前記調整を行う工程と、調整された露光速度で、圧縮画像を記録媒体上に本形成する工程と、を有する。
【００１１】
請求項２の発明に係る方法は、前記印刷装置３によって、隣り合う圧縮画像ＦＰが互いに異なる色となるように、複数の圧縮画像ＦＰを記録媒体上に予備形成し、記録媒体上に予備的に形成された圧縮画像ＦＰの上に前記レンチキュラーレンズＬＬを載せてモアレＭＥを観察する。
【００１２】
請求項３の発明に係る方法は、記録媒体上に、主走査方向に沿った１つ又は複数のラインで１つの圧縮画像を形成し、ラインを副走査方向に連続的に配列することによって複数の圧縮画像を形成するように構成された印刷装置を用い、前記印刷装置によって、隣り合う圧縮画像が互いに異なる色となるように、複数の圧縮画像を記録媒体上に予備形成し、記録媒体上に予備的に形成された圧縮画像の上に前記レンチキュラーレンズを載せてモアレを観察し、モアレの状態に応じて前記印刷装置における記録媒体の副走査方向の送り条件を調整し、モアレが少なくなるように前記調整を行った上で、圧縮画像を記録媒体上に本形成する。
【００１５】
請求項５の発明に係る装置は、記録媒体上に、主走査方向に沿った１つ又は複数のラインで１つの圧縮画像を形成し、ラインを副走査方向に連続的に配列することによって複数の圧縮画像を形成するように構成された印刷装置と、前記印刷装置によって、隣り合う圧縮画像が互いに異なる色となるように、複数の圧縮画像を記録媒体上に予備的に形成する予備形成手段と、記録媒体上に予備的に形成された圧縮画像を前記レンチキュラーレンズを介して観察したときのモアレの状態を検出する手段と、観察されたモアレの状態に応じて前記印刷装置における記録媒体の副走査方向の送り速度を調整する手段と、調整された送り速度で圧縮画像を記録媒体上に本形成する手段と、を有してなる。
【００１６】
モアレは、圧縮画像ＦＰとレンチキュラーレンズＬＬとのわずかなピッチの相違、例えばそれらの位相の相違によって生じる。通常、それらのピッチの相違は、計測装置によっても正確に計測できない場合が多い。そのようなわずかなピッチの相違がある場合であっても、モアレを観察することによってそれを検出することが可能である。
【００１７】
請求項１の発明は、複数の圧縮画像ＦＰを記録媒体上に予備形成し、その圧縮画像ＦＰとレンチキュラーレンズＬＬとによって生じるモアレＭＥを観察することによってそのようなわずかなピッチの相違を検出し、その状態に応じて印刷装置３の露光ユニットによる第２の走査方向の露光速度を調整し、これによって圧縮画像ＦＰのピッチをレンチキュラーレンズＬＬのピッチと全体にわたってできるだけ正確に合わせるように構成したものである。
【００１８】
なお、本明細書において、「圧縮画像」とは、レンチキュラーレンズを介して観察される画像又は線図などをいう。「圧縮画像」は、本来的には、観察すべき画像をレンチキュラーレンズの下に配置するために幅方向に圧縮したものであるが、コンピュータによる画像処理技術又は画像作成技術が進歩した現在では、元の画像自体が必ずしも必要ではなく、「圧縮」という処理が必ず行われるものでもない。したがって、本明細書においては、特に「圧縮」という工程を経ていない画像であっても、レンチキュラーレンズを介して観察されるものであればそれを「圧縮画像」というのである。
【００１９】
例えば、コンピュータによる画像作成又は画像処理によって、「圧縮」の処理を行うことなく、直接的に「圧縮画像」を作成することが可能である。また、「圧縮画像」は、単なる１本のラインであったり、２本又は３本のラインであったりすることもある。
【００２０】
【発明の実施の形態】
図１は本発明に係る作製方法に用いられる印刷装置３の例を示す図である。
図１において、印刷装置３は、本体１１、画像メモリ１２、露光ユニット１３、ドナー供給ユニット１４、用紙供給ユニット１５、転写ドラム１６、カッター１７，１８、水塗布ユニット１９、送りローラ２１，２２，剥離ローラ２３，２４、排出ローラ２５，２６、及び制御装置３１などからなる。
【００２１】
図示しないコンピュータなどによって作成された画像データは、画像メモリ１２に一旦格納される。画像メモリ１２に格納された画像データに基づいて、露光ユニット１３からのレーザ光によってドナーＤＮの表面を露光し、そこに画像（潜像）を形成する。
【００２２】
ドナーＤＮは、ドナー供給ユニット１４から送り出され、カッター１７によって所定のサイズに切断された後、露光位置に搬送され、送りローラ２１によって所定の速度で移動しながら露光を受ける。露光を受けたドナーＤＮは、一旦露光位置を離れた後、逆方向に移動し、水塗布ユニット１９を通過することによってその表面に水が塗布される。
【００２３】
他方、用紙ＰＰは、用紙供給ユニット１５から送り出され、カッター１８によって所定のサイズに切断された後、送りローラ２２の位置でドナーＤＮと同期して貼り合わされ、転写ドラム１６に巻き付けられる。転写ドラム１６は、ヒータによって加熱されており、ドナーＤＮに形成された画像は熱によって用紙ＰＰに現像転写される。
【００２４】
用紙ＰＰに現像転写された後は、剥離ローラ２３によってドナーＤＮが用紙ＰＰから剥離され、排出ローラ２５によって排出される。また、用紙ＰＰは、剥離ローラ２４によって転写ドラム１６から剥離され、排出ローラ２６によって排出される。これらの全体の動作及び処理は、制御装置３１によって制御されている。制御装置３１は、また、送りローラ２１の回転速度を制御し、露光ユニット１３による副走査方向（ドナーＤＮの搬送方向に沿う方向）の露光速度を制御する。なお、送りローラ２１を回転駆動するために、パルスモータ、交流サーボモータ、又は直流サーボモータなどが用いられる。
【００２５】
画像メモリ１２に送出する画像データの内容に応じて、用紙ＰＰ上に種々の画像が形成される。例えば、画像データが、視差を有する複数の画像の圧縮画像のデータである場合には、用紙ＰＰ上には、立体写真のための圧縮画像が形成される。また、複数の異なる画像の圧縮画像である場合には、観察角度によって異なる画像を見るための圧縮画像が形成される。また、通常の画像のデータである場合には、その通常の画像が形成される。これらの画像データの作成方法、及びそれらの画像データによる画像の形成方法それ自体は、公知である。
【００２６】
本実施形態においては、画像メモリ１２には、圧縮画像に対応する画像データであって、隣り合う圧縮画像が互いに異なる色となるような画像データが格納される。以下、１個のレンチキュラーレンズの下に３個の圧縮画像が形成される場合を例にとって説明する。しかし、４個以上の圧縮画像を形成してもよい。
【００２７】
図２は用紙ＰＰ上に形成された予備的な圧縮画像ＦＰの例を拡大して示す図、図３は圧縮画像ＦＰが形成された用紙ＰＰの上に多数のレンチキュラーレンズＬＬからなるレンチキュラー盤ＬＬＴを載せた状態を拡大して示す断面図、図４は用紙ＰＰ上の圧縮画像ＦＰとレンチキュラーレンズＬＬとによってモアレＭＥが生じる様子を説明する図である。
【００２８】
図２に示すように、用紙ＰＰの表面には、３種類の色の予備的な圧縮画像ＦＰａ，ＦＰｂ，ＦＰｃが形成される。これらの圧縮画像ＦＰａ，ｂ，ｃの各色は、例えば、赤、青、緑である。
【００２９】
図３において、各レンチキュラーレンズＬＬの下には、３個の圧縮画像ＦＰがそれぞれ対応して配置される。各レンチキュラーレンズＬＬに対してそれぞれ３個の圧縮画像ＦＰがきっちりと一致して配置されている場合には、立体写真が綺麗に見える。
【００３０】
すなわち、レンチキュラーレンズＬＬのピッチ（幅寸法）ＰＬと、３個の圧縮画像ＦＰの幅寸法ＰＦａとが一致する場合には、各レンチキュラーレンズＬＬに対してそれぞれ３個の圧縮画像ＦＰがきっちりと配置される。その場合に、幅寸法ＰＦａは圧縮画像ＦＰ間のピッチＰＦの３倍である。
【００３１】
但し、立体写真を見るときの観察者の視線のレンチキュラーレンズＬＬに対する角度が、用紙ＰＰの中央と端部とで異なることを補正するために、又は隣合う圧縮画像ＦＰが混合されてしまうことを防止するために、意図的にピッチＰＦ又は幅寸法ＰＦａを異ならせたり、ピッチＰＬよりも大きく又は小さくしたすることがあるが、ここではそのような補正を行う前の状態について説明する。また、本実施形態においては、そのような補正を行なう必要のない理想的な状態であると仮定して説明を行う。したがって、本実施形態に対してそのような補正を適用することは、必要に応じて任意に行うことができる。
【００３２】
図３に示す例では、レンチキュラーレンズＬＬのピッチＰＬに対して、３個の圧縮画像ＦＰの幅寸法ＰＦａが僅かに小さい。そのため、各レンチキュラーレンズＬＬの下に配置される圧縮画像ＦＰは、レンチキュラーレンズＬＬに応じて少しずつずれていき、一定の周期で配列順序の異なる３つの圧縮画像ＦＰがレンチキュラーレンズＬＬの下に配置されることとなる。
【００３３】
図４（Ａ）に示すレンチキュラー盤ＬＬＴを、圧縮画像ＦＰが形成された図４（Ｂ）に示す用紙ＰＰの上に載置することによって、図４（Ｃ）に示す写真ＴＰが構成される。レンチキュラーレンズＬＬと圧縮画像ＦＰとを互いにずらせることによって、それらの方向及び位置を一致させる。完全に一致した場合には、写真ＴＰの全面が、一色に見える。しかし、方向は一致することが可能であるが、レンチキュラーレンズＬＬのピッチＰＬに対して３個の圧縮画像ＦＰの幅寸法ＰＦａが僅かに小さいので、位置は完全には一致しない。そのため、写真ＴＰの表面には、図４（Ｃ）に示すようにモアレＭＥが生じる。
【００３４】
モアレＭＥは、典型的には、複数の色が、３色のいずれかを中心としてある幅を有した色縞模様のように見える。レンチキュラーレンズＬＬ及び圧縮画像ＦＰは、それぞれ実際には完全な直線ではないので、モアレＭＥのそれぞれの縞も直線ではなく、歪んだり、曲線状又は環状になったりすることがある。レンチキュラーレンズＬＬと圧縮画像ＦＰとのずれが大きい程、モアレＭＥの縞の個数が多くなる。例えば、レンチキュラーレンズＬＬの下の圧縮画像ＦＰが１個のピッチＰＦの分だけずれた場合に、そこに１つの縞が生じる。したがって、モアレＭＥの縞の個数によって、レンチキュラーレンズＬＬのピッチＰＬと圧縮画像ＦＰのピッチＰＦとのずれの大きさを知ることができる。また、モアレＭＥの縞の色の表れる順によって、ピッチＰＬとピッチＰＦとの大小関係を知ることができる。
【００３５】
そこで、モアレＭＥの状態に応じて、制御装置３１により、送りローラ２１の回転速度を調整し、又は露光ユニット１３による副走査方向の露光速度を調整する。
【００３６】
この調整の方法として、種々の方法がある。例えば、送りローラ２１の回転速度を可変するためのツマミを回して調整する。送りローラ２１の回転速度を指示するデータを新しく入力して更新する。又は可変分のデータを入力する。その際に、入力の単位を、現在の速度に対する割合で表したり、又は画像密度（ｄｐｉ）で表すことが可能である。例えば、速度を、０．０１パーセント毎又は０．１パーセント毎に可変する。又は、０．２ｄｐｉ毎、１ｄｐｉ毎に可変する。無名数によって入力することも可能である。送りローラ２１の回転速度は一定にしておき、露光ユニット１３による副走査方向の露光速度を同様な方法で可変することも可能である。印刷装置３に接続したコンピュータからそのような指令を入力することも可能である。
【００３７】
調整を行うことによって、モアレＭＥの縞がなくなり、又は縞の個数が減少する。このような調整は、１回で済む場合もあり、又は複数回を行う場合もある。
調整を行った後に、本来の画像データに基づいて、圧縮画像を本形成する。そうすると、形成された圧縮画像とレンチキュラーレンズＬＬとが一致し、できあがた写真ＴＰは鮮明な画像で綺麗に見える。
【００３８】
写真ＴＰが立体写真である場合には、鮮明な立体画像によって本来の立体感を味わうことができる。写真ＴＰが、複数の異なる画像の圧縮画像による場合には、ある観察角度で画像を見ているときに、他の画像のゴーストが出ることなく、鮮明な画像を見ることができる。
【００３９】
なお、複数の印刷装置３を用いる場合には、１台の印刷装置３を用いて調整し、その調整値を用いて、又は調整値に対して装置誤差を加味した値を用いて、他の印刷装置３を制御することによって、同種のレンチキュラー盤ＬＬＴに対して容易に調整した圧縮画像ＦＰを短時間で多数形成することができる。
【００４０】
図５は露光ユニット１３のレーザ光による１ラインと圧縮画像ＦＰとの関係の例を示す図である。
図５（Ａ）に示すように、レーザ光による主走査方向の１ラインによって、１つの圧縮画像ＦＰを形成することができる。また、図５（Ｂ）に示すように、レーザ光による主走査方向の２ラインによって、１つの圧縮画像ＦＰを形成することもできる。さらに、レーザ光による主走査方向の３ライン以上によって、１つの圧縮画像ＦＰを形成することもできる。
【００４１】
また、レーザ光の主走査方向に沿って圧縮画像ＦＰを形成するのではなく、レーザ光の副走査方向に沿って圧縮画像ＦＰを形成することもできる。その場合には、圧縮画像ＦＰのピッチＰＦは、主走査方向の速度（主走査方向の画素ピッチ）に応じて決定されるので、圧縮画像ＦＰのピッチＰＦを可変するために主走査方向の速度、例えばクロック周波数などを調整すればよい。
【００４２】
上述の実施形態において、予備的な圧縮画像ＦＰａ，ＦＰｂ，ＦＰｃとしてそれぞれの色を異ならせたが、色ではなく、濃度又は模様を異ならせてもよい。予備的な圧縮画像ＦＰを、用紙ＰＰの全面ではなく、用紙ＰＰの一部、例えば下辺に沿った部分などに形成し、さらには本来の圧縮画像と同じ面に形成するようにしてもよい。
【００４３】
上述の実施形態においては、圧縮画像ＦＰが形成された用紙ＰＰの上にレンチキュラー盤ＬＬＴを載置し、そのときのモアレＭＥを目視によって検出したが、これらの工程を自動的に行うように構成し、その検出結果に基づいて自動的に制御装置３１に指令を与え、圧縮画像の予備形成と本形成とを自動的に行うようにしてもよい。
【００４４】
その場合には、例えば、隣り合う圧縮画像ＦＰが互いに異なる色となるように複数の圧縮画像ＦＰを用紙上に予備的に形成する予備形成部、用紙上に予備的に形成された圧縮画像ＦＰをレンチキュラーレンズＬＬを介して観察したときのモアレＭＥの状態を検出する検出部、モアレＭＥの状態に応じて用紙の副走査方向の送り条件（速度など）を調整する速度制御部などを設ければよい。これらは、ＣＣＤなどによるカメラ、適切なプログラムが格納されたＲＡＭ又はＲＯＭ、そのプログラムを実行するＣＰＵ、その他の素子及び機器によって実現することができる。これらの回路及び装置を含めることによって、請求項５又は請求項６に記載の作製装置が構成される。
【００４５】
上述の実施形態においては、露光ユニット１３でドナーＤＮに露光する形式の印刷装置３を用いた例を説明したが、これに限ることはない。例えば、サーマルヘッドによってドナーＤＮに画像を形成するもの、電子写真プロセスを用いて普通紙又は写真用艶紙に画像を形成するもの、インクジェット又はサーマルヘッドを用いて普通紙又は写真用艶紙に画像を形成するものなど、種々の形式の印刷装置を用いることが可能である。
【００４６】
なお、印刷装置３において、制御装置３１によって送りローラ２１の回転速度などを制御可能であり、圧縮画像ＦＰのピッチＰＦを可変調整できるので、例えば、レンチキュラーレンズＬＬのピッチＰＬを実測し、実測したピッチＰＬに対応した圧縮画像ＦＰのピッチＰＦとなるように制御することも可能である。
【００４７】
上述の実施形態では、記録媒体として用紙ＰＰなどを用いたが、オーバーヘッドプロジェクタ用のフィルム、その他のフィルムを用いることも可能である。その他、圧縮画像ＦＰ又はレンチキュラー盤ＬＬＴの種類、個数、色、寸法、印刷装置３の構成又は動作方式などは、本発明の趣旨に沿って適宜変更することができる。
【００４８】
【発明の効果】
本発明によると、形成される圧縮画像のピッチをレンチキュラーレンズのピッチと全体にわたってできるだけ正確に合わせることが可能であり、立体写真などをより一層綺麗に見ることが可能となる。
【図面の簡単な説明】
【図１】本発明に係る作製方法に用いられる印刷装置の例を示す図である。
【図２】用紙上に形成された予備的な圧縮画像の例を拡大して示す図である。
【図３】圧縮画像が形成された用紙の上に多数のレンチキュラーレンズからなるレンチキュラー盤を載せた状態を拡大して示す断面図である。
【図４】用紙上の圧縮画像とレンチキュラーレンズとによってモアレが生じる様子を説明する図である。
【図５】露光ユニットのレーザ光による１ラインと圧縮画像との関係の例を示す図である。
【符号の説明】
３  印刷装置
ＦＰ  圧縮画像
ＰＰ  用紙（記録媒体）
ＬＬ  レンチキュラーレンズ
ＭＥ  モアレ
【図１】
0004497598.tif 000002
【図２】
0004497598.tif 000003
【図３】
0004497598.tif 000004
【図４】
0004497598.tif 000005
【図５】
0004497598.tif 000006